(57)【特許請求の範囲】
【請求項１】
底板とこの底板の両側部より立ち上げた両側板を有し、前記底板を装置本体側へ取り付けた金属製の取付部材と、少なくとも背板とこの背板の両側部より垂下させた両側板を有し、前記取付部材の前記両側板へそれ自身の前記両側板をヒンジピンを介して回動可能に取り付けた同じく金属製の原稿圧着板の支持部材と、この支持部材内部に摺動可能に収装させたカムスライダーと、このカムスライダーと接し前記取付部材の両側板間に回転可能に軸架されたローラー手段と、前記カムスライダーと前記支持部材の自由端側との間に弾設されたコイルスプリングとで構成し、前記ローラー手段を、前記取付部材の前記両側板へ前記ヒンジピンとは異なった位置に軸架させたシャフトと、このシャフトの外周に回転可能に取り付けたところの前記取付部材の両側板に達する長さを有する筒状の回転筒体とで構成し、この回転筒体の内周と前記シャフトの外周との間に潤滑剤を充填させたことを特徴とする、原稿圧着板開閉装置。
【請求項２】
底板とこの底板の両側部より立ち上げた両側板を有し、前記底板を装置本体側へ取り付けた金属製の取付部材と、少なくとも背板とこの背板の両側部より垂下させた両側板を有し、前記取付部材の前記両側板へそれ自身の前記両側板をヒンジピンを介して回動可能に取り付けた同じく金属製の原稿圧着板の支持部材と、この支持部材内部に摺動可能に収装させたカムスライダーと、このカムスライダーと接し前記取付部材の両側板間に回転可能に軸架されたローラー手段と、前記カムスライダーと前記支持部材の自由端側との間に弾設されたコイルスプリングとで構成し、前記ローラー手段を、前記取付部材の前記両側板へ前記ヒンジピンとは異なった位置に軸架させたシャフトと、このシャフトの外周に回転可能に取り付けたところの前記取付部材の両側板に達する長さを有する筒状の回転筒体とで構成し、この回転筒体の内周と前記シャフトの外周との間に潤滑剤を充填させると共に、前記支持部材の頂板に設けた挿通孔より着脱可能に前記コイルスプリング内へ挿入されて当該頂板に固定され、ピストン杆の先端を前記原稿圧着板を閉じる際の当該支持部材の所定の回動角度より前記スライダーへ当接させることによりダンパー動作をするダンパー手段を設けたことを特徴とする、原稿圧着板開閉装置。
【請求項３】
前記支持部材の背板には、前記原稿圧着板を開く際に当該支持部材の所定の回動角度より前記スライダーに接触して、その摺動動作を制御する凸状部から成るブレーキ手段を当該支持部材に一体に設けたことを特徴とする、請求項１又は２のいずれかに記載の原稿圧着板開閉装置。
【請求項４】
前記ヒンジピンの前記取付部材の前記両側板に対する軸受個所に、前記取付部材と前記支持部材の各両側板が直に接触するのを防止する例えば合成樹脂のような非電導性材料から成る軸受を用いると共に、前記支持部材と前記取付部材との各両側板の互いに相対する一方の間に前記軸受けに環巻させたコイル状の電導性部材を弾設させることによって、両者を電気的に接続させたことを特徴とする、請求項１〜３のいずれかに記載の原稿圧着板開閉装置。
【０００１】
【発明の詳細な説明】
【発明の属する技術分野】
この発明は、複写機や印刷機等の原稿圧着板の開閉用として用いられていて好適な、原稿圧着板開閉装置に関する。
【０００２】
【従来の技術】
従来、装置本体側へ取り付けられる取付部材と、この取付部材へヒンジピンを介して回動可能に取り付けられた原稿圧着板の支持部材と、この支持部材内部に摺動可能に収装されたスライダーと、このスライダーと接し前記取付部材の両側板用に固定されたカム部材と、前記スライダーと前記支持部材の自由端側との間に弾設されたコイルスプリングとで構成した原稿圧着板開閉装置が公知である。  また、装置本体側取り付けられる取付部材と、この取付部材へヒンジピンを介して回動可能に取り付けられた原稿圧着板の支持部材と、この支持部材内部に摺動可能に収装されたスライダーと、このスライダーと接し前記取付部材の両側板用に固定されたカム部材と、前記スライダーと前記支持部材の自由端側との間に弾設されたコイルスプリングと、このコイルスプリングの中に収装され、原稿圧着板の所定の閉成角度より動作して原稿圧着板の急激な落下を緩衝するダンパー手段とで構成した原稿圧着板開閉装置も公知である。
【０００３】
【発明が解決しようとする課題】
上述した公知のカム部材とスライダーを用いる原稿圧着板開閉装置は、カム部材の表面に潤滑油のグリスを塗布させる必要があるが、原稿圧着板の開閉操作  時にカム部材の摺動面が外部へ露出するため、時として原稿にグリスが附着して原稿を汚したりする恐れがあり、これを避けるためには、そのためのカバーを必要とするという問題があった。
【０００４】
また、上述したダンパー手段を用いるものは、ダンパー手段が支持部材内部へ収装されたコイルスプリング内へさらに収装される構成となるため、組み立て後にダンパー手段の脱着を行うことが容易にできないという問題もあった。
【０００５】
さらに、上述した従来公知の原稿圧着板開閉装置は、装置本体側へ取り付けられる取付部材へヒンジピンを介して支持部材を回動可能に取り付けるものであり、ヒンジピンの取付部材に対する軸受個所に例えば合成樹脂のような非導電性材料製の軸受を用いた場合には、装置本体と例えば原稿自動送り装置付きの原稿圧着板との間の電気的な導通が図れないという問題もあった。
【０００６】
この発明は、上述した従来技術の問題点に鑑みなされたもので、その目的とするところは、摺動面を有するカム部材を用いても、その表面に潤滑用のグリスを塗布する必要のない、云わばグリスレスの原稿圧着板開閉装置を提供せんとするにある。
【０００７】
この発明の次の目的は、上述した目的を達成できた上で、ヒンジ自体の組立後或は装置本体への組み付け後において、ダンパー手段を任意に脱着できるように構成した原稿圧着板開閉装置を提供せんとするにある。
【０００８】
この発明の次の目的は、原稿圧着板を取り付ける支持部材を回動可能に取付部材へ取り付けるヒンジピンの該取付部材側の軸受に非導電性のものを用いても、取付部材と支持部材との間の電気的な導通性を確保できる原稿圧着板開閉装置を提供せんとするにある。
【０００９】
【課題を解決するための手段】
上述した目的を完成するためにこの発明は、底板とこの底板の両側部より立ち上げた両側板を有し、前記底板を、装置本体側へ取り付ける金属製の取付部材と、少なくともこの背板とこの背板の両側部より垂下させた両側板を有し、前記取付部材の前記両側板へこれ自身の前記両側板をヒンジピンを介して回動可能に取り付けた同じく金属製の原稿圧着板の支持部材と、この支持部材内部に摺動可能に収装されたカムスライダーと、このカムスライダーと接し前記取付部材の両側板間に回転可能に軸架されたローラー手段と、前記カムスライダーと前記支持部材の自由端側との間に弾設されたコイルスプリングとで構成すると共に、前記ローラー手段を、前記取付部材の両側板の前記ヒンジピンとは異なった位置に軸架させたシャフトと、このシャフトの外周に回転可能に取り付けたところの前記取付部材の両側板に達する筒状の回転筒体とで構成し、この回転筒体の内周と前記シャフトの外周との間に潤滑剤を充填させたことを特徴とする。
【００１０】
この発明はまた、底板とこの底板の両側部より立ち上げた両側板を有し、前記底板を装置本体側へ取り付けた金属製の取付部材と、少なくとも背板とこの背板の両側部より垂下させた両側板を有し、前記取付部材の前記両側板へそれ自身の前記両側板をヒンジピンを介して回動可能に取り付けた同じく金属製の原稿圧着板の支持部材と、この支持部材内部に摺動可能に収装させたカムスライダーと、このカムスライダーと接し前記取付部材の両側板間に回転可能に軸架されたローラー手段と、前記カムスライダーと前記支持部材の自由端側との間に弾設されたコイルスプリングとで構成し、前記ローラー手段を、前記取付部材の前記両側板へ前記ヒンジピンとは異なった位置に軸架させたシャフトと、このシャフトの外周に回転可能に取り付けたところの前記取付部材の両側板に達する長さを有する筒状の回転筒体とで構成し、この回転筒体の内周と前記シャフトの外周との間に潤滑剤を充填させると共に、前記支持部材の頂板に設けた挿通孔より着脱可能に前記コイルスプリング内へ挿入されて当該頂板に固定され、ピストン杆の先端を前記原稿圧着板を閉じる際の当該支持部材の所定の回動角度より前記スライダーへ当接させることによりダンパー動作をするダンパー手段を設けたことを特徴とする、原稿圧着板開閉装置。
【００１１】
この発明はまた、上記いずれの場合にも前記支持部材の背板には、前記原稿圧着板を開く際に当該支持部材の所定の回動角度より前記スライダーに接触して、その摺動動作を制御する凸部から成る摩擦手段を当該支持部材に一体に設けることができる。
【００１２】
そして、この発明は上記いずれの場合にも、前記ヒンジピンの前記取付部材の前記両側板に対する軸受個所に、前記取付部材と前記支持部材の各両側板が直に接触するのを防止する例えば合成樹脂のような非電導性材料から成る軸受を用いると共に、前記支持部材と前記取付部材との間に前記軸受けに環巻させたコイル状の電導性部材を介在させることによって、両者を電気的に接続させたことを特徴とする。
【００１３】
【発明の実施の形態】
図面はこの発明の一実施の形態を示す。１は想像線で示した複写機や印刷機の装置本体Ａ上に取り付けられる導電性材質の金属プレート製の取付部材である。この取付部材１は、装置本体Ａ上へ取り付けられる底板１ｂと、この底板１ｂの両側より立ち上げた両側板１ａ，１ａを有し、この両側板１ａ，１ａにヒンジピン２を介して、同じく導電性を有する金属プレート製の支持部材３の両側板３ａ，３ａが回動可能に軸支されている。この支持部材３は、両側板３ａ，３ａをその両側より垂下させる背板３ｃを有し、この背板３ｃにこれも想像線で示した原稿圧着板Ｂの後部が取り付けられている。支持部材３の両側板３ａ，３ａがヒンジピン２によって枢支される部分には、ひょうたん形状の枢支孔３ｂ，３ｂ（一方のみ表示）が設けられ、支持部材３のヒンジピン２に対する着脱が可能な構成となっている。尚、ヒンジピン２が取付部材１の両側板１ａ，１ａ間に支持される部分には、例えばＰＯＭのような合成樹脂製の非導電性材料から成る軸受４，５がそれら自身が非回転となるように取り付けられており、ヒンジピン２にはこれらの軸受４，５の軸受孔４ａ，５ａへ挿入支持されている。軸受４，５はそれぞれ断面略四角形状の取付部４ｂ，５ｂを有し、取付部材１の両側板１ａ，１ａに設けた四角形状の取付孔１ｂ，１ｂへ挿入固定されている。尚、軸受孔４ａ，５ａの形状、軸受４，５の取付部４ｂ，５ｂの形状に限定はない。実施の形態のものに限定されない。それは三角、五角、Ｄ型形状、小判形状等さまざまなものが考えられる。また、軸受の材料も、ＰＯＭに限定されない。それは他にはセラミックその他の非電導性材料、或は金属製の導電性材料等のものが適宜必要に応じて用いられる。そして、取付部材１の両側板の１ａ．１ａの一方と、取付部材３の両側板３ａ，３ａの一方の、ヒンジピン２による互いの連結個所の部分には、ヒンジピン２及び軸受４に環巻させてコイルスプリング状の導電部材１２が設けられ、取付部材１と支持部材２の間の電気的な導通性を維持している。
【００１４】
取付部材１の両側板１ａ，１ａにはさらに、ローラー手段７が設けられている。このローラー手段７は両側板１ａ，１ａのヒンジピン２を取り付けた位置とは異なる位置（つまりここでは前方位置）に非回転に固定されたシャフト６と、このシャフト６の周りに回転可能に装着された筒状の、例えばＰＯＭ等の合成樹脂製の回転筒体１５とで構成されている。尚、回転筒体１５の両端部は取付部材１の両側板１ａ，１ａに達している。そして、この回転筒体１５の材料はＰＯＭに限定されない。他の含油樹脂、セラミック、ゴム、金属等々適宜選択し得る。また、回転筒体１５の内周とシャフト６の外周との間には潤滑油が充填されるが、この潤滑剤は、回転筒体１５の表面には漏れ出てくることはない。
【００１５】
支持部材３は、上述したように両側板３ａ，３ａの他に、背板３ｃ，頂板３ｄ，及び拘持部３ｅ，３ｅ（一方のみ表示）を有し、内部にカムスライダー８を摺動可能に収装させており、カムスライダー８の傾斜カム面８ａは回転筒体１５の表面と当接している。
【００１６】
カムスライダー８と支持部材３の頂板３ｄとの間には、コイルスプリング９が弾設され、カムスライダー８をローラー手段７側へ圧接させると共に、カムスライダー８を介して支持部材３を原稿圧着板Ｂの開成方向へ附勢させ、或は所定の閉成角度からは開成方向へ附勢させている。
【００１７】
頂板３ｄには挿通孔３ｆが設けられ、この挿通孔３ｆより例えば公知構成のピストン式の粘性流体を用いたダンパー手段１０が、コイルスプリング９内に挿入されると共に、その取付板１４を着脱可能に頂板３ｄへビス１１を用いて取り付けられることにより、ダンパー手段１０を脱着可能にしてある。
【００１８】
そして、支持部材３の背板３ｃに、原稿圧着板Ｂの開成操作時において、支持部材３内を摺動するスライダー８が所定の開成角度から当接する部分には、平面帯状の凸状部から成るブレーキ手段１３が設けられている。尚、このブレーキ手段１３の設置箇所に限定はない。必要に応じてこれを省略することもできる。
【００１９】
今、図１と図３に示したように、原稿圧着板を閉じた状態においては、コイルスプリング９の作用線は、回転筒体１５を取り付けたシャフト６の軸芯と一致していることから、支持部材３は原稿圧着板Ｂの開閉いずれの方向にも回動を附勢されておらず、原稿圧着板Ｂは安定した閉成状態を保っている。そして、ダンパー手段１０のピストン杆１０ａは、カムスライダー８の内頂部と当接した状態にある。尚、ここのところは、コイルスプリング９の作用線をシャフト６の下方へずらすことにより、或はカムスライダー８の傾斜カム面８ａの形状を変えることにより、原稿圧着板Ｂの開式方向へ附勢させることもできる。
【００２０】
この図１と図３に示した状態から原稿圧着板Ｂを開くと、ローラー手段７の回転筒体１５が回転してカムスライダー８の傾斜カム面８ａの高い方から低い方へ移動することから、コイルスプリング９の弾力により原稿圧着板Ｂは、その本来の重量を減殺された状態で開かれる。
【００２１】
開いた原稿圧着板Ｂより手を離すと、回転筒体１５がコイルスプリング９によって一方向へ摺動を附勢されているカムスライダー８の傾斜カム面８ａを登る際の抵抗に遭遇することにより、原稿圧着板Ｂが支持部材３を介してヒンジピン２の周りに発生させる回転モーメントと、コイルスプリング９の弾力と、回転筒体１５に当接しているカムスライダー８とによって創出される回転トルクが均衡する。実施の形態のものは原稿圧着板Ｂの３０°以上の開成角度で、原稿圧着板Ｂを安定停止保持する。この際にはダンパー手段１０のピストン杆１０ａの先端はカムスライダー８の内頂部より離れている。
【００２２】
原稿圧着板の開成操作に伴い、ブレーキ手段は１３は、カムスライダー８と圧接してブレーキ作用を行い原稿圧着板Ｂが急激に開かれたり、或は原稿圧着板Ｂの安定保持許容範囲を増大させる機能を営む。原稿圧着板Ｂを閉じる際には、慣性による勢いがつくが、所定の閉成角度（実施の形態のもので約２０°）近辺で、ダンパー手段１０のピストン杆１０ａの先端がカムスライダー１０に当接し始め、ダンパーがきき始めることにより、支持部材３の回転を制御し、原稿圧着板Ｂが急激に閉じられるのを防止するものである。
【００２３】
尚、この発明は図面に示した原稿圧着板開閉装置にのみ適用されるものではなく、他の例えば支持部材の自由端側へ原稿圧着板のリフト部材を軸着させたタイプのものにも、そのまま適用できる。
【００２４】
【発明の効果】
この発明は以上のように構成したので、次のような効果を奏し得る。
【００２５】
請求項１のように構成すると、潤滑用のグリスが回転筒体やカムスライダーの表面に附着することがないので、使用中に原稿を汚したり、或は汚れ防止のカバーを取り付けたりする必要がなく、安価でユーザーからの苦情のない原稿圧着板開閉装置を提供できるものである。
【００２６】
請求項２のように構成すると、請求項１と同じ効果を奏した上で、ダンパー手段を必要に応じて簡単に着脱できるので、故障の際にダンパー手段の交換が容易となり、ダンパー手段を必要としないタイプのものにはこれを簡単に取り外すことができるという効果を奏することができるものである。
【００２７】
請求項３のように構成すると、請求項１或は請求項２と同じ効果を奏した上で、所定の開成角度から原稿圧着板が弾ね上がってしまう恐れを確実に、なくすことができるという効果を奏し得る。
【図面の簡単な説明】
【図１】この発明に係る原稿圧着板開閉装置の側面図である。
【図２】この発明に係る原稿圧着板開閉装置の平面図である。
【図３】図２のＡ−Ａ線断面図である。
【図４】図２Ａ視の部分の拡大図である。
【図５】軸受の斜視図である。
【図６】原稿圧着板を開いて見た側断面図である。
【符号の説明】
Ａ  装置本体
Ｂ  原稿圧着板
１  取付部材
１ａ  両側板
２  ヒンジピン
３  支持部材
３ａ  両側板
６  シャフト
７  ローラー手段
８  カムスライダー
９  コイルスプリング
１０  ダンパー手段
１２  導電部材
１３  ブレーキ手段
１５  回転筒体
【図１】
0003728385.tif 000002
【図２】
0003728385.tif 000003
【図３】
0003728385.tif 000004
【図４】
0003728385.tif 000005
【図５】
0003728385.tif 000006
【図６】
0003728385.tif 000007